(57)【要約】【課題】無線又は有線のＬＡＮの設置が困難な場所であっても、電子広告掲示板によって表示される広告コンテンツを、逐次更新することができる携帯端末、電子広告掲示板及びプログラムを提供する。【解決手段】携帯電話機１は、携帯電話通信部によって広告運用サーバ３と通信し、且つ、近距離通信部によって電子広告掲示板２と通信する。携帯電話機１は、広告運用サーバ３から、掲示板ＩＤ（識別子）に対応付けた広告コンテンツを受信する広告コンテンツ受信手段と、広告コンテンツを蓄積する広告コンテンツ蓄積手段と、電子広告掲示板２から掲示板ＩＤを読み取る掲示板識別子読み取り手段と、掲示板ＩＤに対応する広告コンテンツを、広告コンテンツ蓄積手段から取得し、電子広告掲示板２へ送信する広告コンテンツ送信手段とを有する。【選択図】図２
2008203790.tif 000002
【特許請求の範囲】
【請求項１】
携帯電話通信手段によってコンテンツサーバと通信し、且つ、近距離通信手段によって電子広告掲示板と通信する携帯端末において、
前記コンテンツサーバから、掲示板識別子に対応付けた広告コンテンツを受信する広告コンテンツ受信手段と、
前記広告コンテンツを蓄積する広告コンテンツ蓄積手段と、
前記電子広告掲示板から掲示板識別子を読み取る掲示板識別子読み取り手段と、
前記掲示板識別子に対応する広告コンテンツを、前記広告コンテンツ蓄積手段から取得し、前記電子広告掲示板へ送信する広告コンテンツ送信手段と
を有することを特徴とする携帯端末。
【請求項２】
前記コンテンツサーバから受信する広告コンテンツには、掲示開始時刻及び掲示終了時刻が含まれており、
現在時刻が、前記掲示終了時刻以前である場合にのみ、前記広告コンテンツ送信手段が前記広告コンテンツを前記電子広告掲示板へ送信するように制御する掲示時刻判定手段を更に有することを特徴とする請求項１に記載の携帯端末。
【請求項３】
前記広告コンテンツ送信手段によって前記広告コンテンツが正常に前記電子広告掲示板へ送信された後、前記携帯電話通信手段によって前記コンテンツサーバに接続された際に、該コンテンツサーバへ掲示報告通知を送信する掲示報告通知手段を更に有することを特徴とする請求項１又は２に記載の携帯端末。
【請求項４】
前記掲示板識別子読み取り手段は、
前記電子広告掲示板に付与されたバーコード又はＱＲ(Quick Response)コードをカメラによって読み取るか、又は、前記電子広告掲示板に付与されたＲＦＩＤ(Radio Frequency IDentification)タグからリーダによって読み取ることを特徴とする請求項１から３のいずれか１項に記載の携帯端末。
【請求項５】
前記近距離通信手段は、赤外線データ通信(IrDA)、ワイヤレスＵＳＢ(Universal Serial
Bus)、Bluetooth、又は有線ＵＳＢの通信機能であることを特徴とする請求項１から４のいずれか１項に記載の携帯端末。
【請求項６】
請求項１から５のいずれか１項に記載の携帯端末と通信する電子広告掲示板であって、
電子ペーパによって構成されたディスプレイと、
前記携帯端末から前記広告コンテンツを受信し、該広告コンテンツを前記ディスプレイへ通知する広告コンテンツ受信手段と
を有することを特徴とする電子広告掲示板。
【請求項７】
前記携帯端末から受信する広告コンテンツには、掲示開始時刻及び掲示終了時刻が含まれており、
現在時刻が、前記掲示開始時刻以後である場合にのみ、前記広告コンテンツ受信手段が前記広告コンテンツを前記ディスプレイへ送信するように制御する掲示時刻判定手段を更に有することを特徴とする請求項６に記載の電子広告掲示板。
【請求項８】
前記広告コンテンツ受信手段によって前記広告コンテンツが正常に前記ディスプレイに表示された際に、前記携帯端末へ掲示報告通知を送信する掲示報告通知手段を更に有することを特徴とする請求項６又は７に記載の電子広告掲示板。
【請求項９】
前記掲示板識別子を含むバーコード、ＱＲコード又はＲＦＩＤタグが付されていることを特徴とする請求項６から８のいずれか１項に記載の電子広告掲示板。
【請求項１０】
前記近距離通信手段は、赤外線データ通信(IrDA)、ワイヤレスＵＳＢ(Universal Serial Bus)、Bluetooth、又は有線ＵＳＢの通信機能であることを特徴とする請求項６から９のいずれか１項に記載の電子広告掲示板。
【請求項１１】
携帯電話通信手段によってコンテンツサーバと通信し、且つ、近距離通信手段によって電子広告掲示板と通信する携帯端末に搭載されたコンピュータを機能させるプログラムにおいて、
前記コンテンツサーバから、掲示板識別子に対応付けた広告コンテンツを受信する広告コンテンツ受信手段と、
前記広告コンテンツを蓄積する広告コンテンツ蓄積手段と、
前記電子広告掲示板から掲示板識別子を読み取る掲示板識別子読み取り手段と、
前記掲示板識別子に対応する広告コンテンツを、前記広告コンテンツ蓄積手段から取得し、前記電子広告掲示板へ送信する広告コンテンツ送信手段と
してコンピュータを機能させることを特徴とする携帯端末用のプログラム。
【発明の詳細な説明】
【技術分野】
【０００１】
本発明は、電子広告掲示板の表示内容を更新する携帯端末、電子広告掲示板及びプログラムに関する。
【背景技術】
【０００２】
近年、電子データである広告コンテンツを、ディスプレイに表示する電子広告掲示板システムが普及し始めている（例えば非特許文献１参照）。このシステムでは、従来、人手によって貼り替え作業を行っていた広告掲示板を、電子的なデータ配信によって置き換えることができる。これにより、表示内容の更新作業が効率的となるだけでなく、表示内容のスケジュールをコンピュータによって管理することもできる。
【０００３】
図１は、従来技術における電子広告掲示板システムの構成図である。
【０００４】
図１によれば、電子広告掲示板２は、通信部を備え、無線ＬＡＮ(Local Area Network)を介して、アクセスポイントに接続されている。また、アクセスポイントは、例えばインターネットのようなネットワークを介して、広告運用サーバ３に接続されている。広告運用サーバ３は、電子広告掲示板２へ広告コンテンツを送信する。これにより、電子広告掲示板２は、広告運用サーバから受信した様々な広告コンテンツをディスプレイに表示すると共に、表示される広告コンテンツを逐次更新することができる。
【０００５】
通常、電子広告掲示板２は、様々な場所に掲示される。従って、全ての掲示場所にＬＡＮ設備を設置することは、多大な設置費用及び保守管理費用を要する。
【０００６】
例えば、電車の駅構内で、全ての広告掲示板を電子広告掲示板に置換することを想定する。プラットホームの場所では、無線ＬＡＮの電波も比較的届きやすく、有線ＬＡＮの配線も比較的容易である。一方で、狭隘な地下の階段・通路のような場所では、無線ＬＡＮの電波が届きにくく、有線ＬＡＮの配線も比較的困難である。このよう場所に、駅構内全体に対して僅かな比率を占める広告掲示板のために、新たな無線又は有線のＬＡＮを設置することは経済的ではない。
【０００７】
【非特許文献１】日立製作所、「電子ペーパディスプレイソリューション」、[online]、２００６年５月１１日、[平成１９年２月２１日検索]、インターネット＜URL:http://www.hitachi.co.jp/New/cnews/month/2006/05/0511.pdf＞
【発明の開示】
【発明が解決しようとする課題】
【０００８】
通常、無線又は有線のＬＡＮの設置が困難な場所に、電子広告掲示板を設置したいとする需要は多いと考えられる。
【０００９】
本発明は、無線又は有線のＬＡＮの設置が困難な場所であっても、電子広告掲示板によって表示される広告コンテンツを、逐次更新することができる携帯端末、電子広告掲示板及びプログラムを提供することを目的とする。
【課題を解決するための手段】
【００１０】
本発明によれば、携帯電話通信手段によってコンテンツサーバと通信し、且つ、近距離通信手段によって電子広告掲示板と通信する携帯端末において、
コンテンツサーバから、掲示板識別子に対応付けた広告コンテンツを受信する広告コンテンツ受信手段と、
広告コンテンツを蓄積する広告コンテンツ蓄積手段と、
電子広告掲示板から掲示板識別子を読み取る掲示板識別子読み取り手段と、
掲示板識別子に対応する広告コンテンツを、広告コンテンツ蓄積手段から取得し、電子広告掲示板へ送信する広告コンテンツ送信手段と
を有することを特徴とする。
【００１１】
本発明の携帯端末における他の実施形態によれば、コンテンツサーバから受信する広告コンテンツには、掲示開始時刻及び掲示終了時刻が含まれており、現在時刻が、掲示終了時刻以前である場合にのみ、広告コンテンツ送信手段が広告コンテンツを電子広告掲示板へ送信するように制御する掲示時刻判定手段を更に有することも好ましい。
【００１２】
本発明の携帯端末における他の実施形態によれば、広告コンテンツ送信手段によって広告コンテンツが正常に電子広告掲示板へ送信された後、携帯電話通信手段によってコンテンツサーバに接続された際に、そのコンテンツサーバへ掲示報告通知を送信する掲示報告通知手段を更に有することも好ましい。
【００１３】
本発明の携帯端末における他の実施形態によれば、掲示板識別子読み取り手段は、電子広告掲示板に付与されたバーコード又はＱＲ(Quick Response)コードをカメラによって読み取るか、又は、電子広告掲示板に付与されたＲＦＩＤ(Radio Frequency IDentification)タグからリーダによって読み取ることも好ましい。
【００１４】
本発明の携帯端末における他の実施形態によれば、近距離通信手段は、赤外線データ通信(IrDA)、ワイヤレスＵＳＢ(Universal Serial Bus)、Bluetooth、又は有線ＵＳＢの通信機能であることも好ましい。
【００１５】
本発明によれば、前述の携帯端末と通信する電子広告掲示板であって、
電子ペーパによって構成されたディスプレイと、
携帯端末から広告コンテンツを受信し、その広告コンテンツをディスプレイへ通知する広告コンテンツ受信手段とを有することを特徴とする。
【００１６】
本発明の電子広告掲示板における他の実施形態によれば、携帯端末から受信する広告コンテンツには、掲示開始時刻及び掲示終了時刻が含まれており、現在時刻が、掲示開始時刻以後である場合にのみ、広告コンテンツ受信手段が広告コンテンツをディスプレイへ送信するように制御する掲示時刻判定手段を更に有することも好ましい。
【００１７】
本発明の電子広告掲示板における他の実施形態によれば、広告コンテンツ受信手段によって広告コンテンツが正常にディスプレイに表示された際に、携帯端末へ掲示報告通知を送信する掲示報告通知手段を更に有することも好ましい。
【００１８】
本発明の電子広告掲示板における他の実施形態によれば、掲示板識別子を含むバーコード、ＱＲコード又はＲＦＩＤタグが付されていることも好ましい。
【００１９】
本発明の電子広告掲示板における他の実施形態によれば、近距離通信手段は、赤外線データ通信(IrDA)、ワイヤレスＵＳＢ、Bluetooth、又は有線ＵＳＢの通信機能であることも好ましい。
【００２０】
本発明によれば、携帯電話通信手段によってコンテンツサーバと通信し、且つ、近距離通信手段によって電子広告掲示板と通信する携帯端末に搭載されたコンピュータを機能させるプログラムにおいて、
コンテンツサーバから、掲示板識別子に対応付けた広告コンテンツを受信する広告コンテンツ受信手段と、
広告コンテンツを蓄積する広告コンテンツ蓄積手段と、
電子広告掲示板から掲示板識別子を読み取る掲示板識別子読み取り手段と、
掲示板識別子に対応する広告コンテンツを、広告コンテンツ蓄積手段から取得し、電子広告掲示板へ送信する広告コンテンツ送信手段と
してコンピュータを機能させることを特徴とする。
【発明の効果】
【００２１】
本発明の携帯端末、電子広告掲示板及びプログラムによれば、無線又は有線のＬＡＮの設置が困難な場所であっても、電子広告掲示板によって表示される広告コンテンツを、逐次更新することができる。
【発明を実施するための最良の形態】
【００２２】
以下では、図面を用いて、本発明を実施するための最良の形態について詳細に説明する。
【００２３】
図２は、本発明における電子広告掲示板システムの構成図である。
【００２４】
図２によれば、携帯端末として、携帯電話機１が用いられている。携帯電話機１は、基地局を介して、携帯電話網に接続されている。携帯電話網は、インターネットと相互接続されている。インターネットには、図１と同様に、広告運用サーバ３が接続されている。これにより、携帯電話機１は、広告運用サーバ（コンテンツサーバ）３から、広告コンテンツを受信することができる。
【００２５】
その後、携帯電話機１を所持する利用者は、広告コンテンツを表示すべき電子広告掲示板２の近くへ移動する。この電子広告掲示板２の周囲は、携帯電話網の基地局と通信できない場所であってもよい。
【００２６】
電子広告掲示板２のディスプレイは、電子ペーパによって構成されている。電子ペーパは、静止画を表示しているときは、電力を消費しない。表示画面を更新する時だけ、電力を消費する。従って、電子ペーパを用いた広告掲示板は、電池のみで長時間駆動することができる。
【００２７】
携帯電話機１及び電子広告掲示板２は共に、近距離通信部を備える。近距離通信部としては、例えば、赤外線データ通信(IrDA)、ワイヤレスＵＳＢ、ブルートゥース又は有線ＵＳＢであってもよい。
【００２８】
携帯電話機１は、広告運用サーバ３から受信した広告コンテンツを、近距離通信部によって、電子広告掲示板２へ送信する。電子広告掲示板２は、一時的に電力を消費し、受信した広告コンテンツを電子ペーパに表示する。
【００２９】
図３は、本発明における電子広告掲示板システムのフローチャートである。
【００３０】
（Ｓ３０１）携帯電話機１が、携帯電話網におけるいずれか１つの基地局と通信可能なエリアに入った際に、広告運用サーバ３は、携帯電話機１へ、広告コンテンツが添付されたメールを自動的に送信する。携帯電話機１は、このメールを受信することにより、広告コンテンツを蓄積することができる。
【００３１】
本発明によれば、広告コンテンツには、掲示板ＩＤ(IDentifier：識別子)が付与されている。掲示板ＩＤによって、その広告コンテンツを掲示する掲示板を特定することができる。また、広告コンテンツに、掲示時刻（掲示開始時刻及び掲示終了時刻、又は、掲示時間範囲）が含まれていてもよい。これにより、広告コンテンツの掲示時間を管理することができる。
【００３２】
（Ｓ３０２）その後、携帯電話機１を所持する利用者は、広告コンテンツを表示すべき電子広告掲示板２の近くへ移動する。
【００３３】
（Ｓ３０３）電子広告掲示板２には、その表面に、バーコード、ＱＲコード又はＲＦＩＤタグが付与されている。これらバーコード等は、掲示板ＩＤを表示するものである。これに対し、携帯電話機１は、それらバーコード等を読み取るリーダを備える。リーダは、バーコード及びＱＲコードに対してはカメラであり、ＲＦＩＤタグに対してはＲＦＩＤリーダである。これにより、携帯電話機１は、電子広告掲示板２に付与されたバーコード等から、掲示板ＩＤを読み取る。
【００３４】
そして、携帯電話機１は、リーダによって読み取った掲示板ＩＤと、既に蓄積した広告コンテンツの掲示板ＩＤとが一致するか否かを判定する。一致する掲示板ＩＤが無ければ、何ら処理をしない。
【００３５】
（Ｓ３０４）携帯電話機１は、リーダによって読み取った掲示板ＩＤと一致する広告コンテンツが蓄積されている場合、その広告コンテンツを電子広告掲示板２へ送信する。このとき、掲示終了時刻も判定する。現在時刻が、広告コンテンツの掲示終了時刻以後である場合、その広告コンテンツは、電子広告掲示板２へ送信されない。
【００３６】
電子広告掲示板２は、携帯電話機１から広告コンテンツを受信すると、一時的に電力を消費し、受信した広告コンテンツを電子ペーパに表示する。尚、電子広告掲示板２がタイマを備え、現在時刻が、広告コンテンツの掲示開始時刻以前である場合、その広告コンテンツを表示しないようにすることもできる。
【００３７】
（Ｓ３０５）電子広告掲示板２は、その広告コンテンツを電子ペーパに表示した際に、携帯電話機１へ、掲示報告通知を送信する。携帯電話機１は、電子広告掲示板２から受信した掲示報告通知を一時的に保持する。
【００３８】
（Ｓ３０６）その後、携帯電話機１を所持する利用者は、携帯電話網の基地局と通信可能なエリアへ移動する。
【００３９】
（Ｓ３０７）携帯電話機１は、携帯電話網の基地局と通信可能となった際に、電子広告掲示板２から受信した掲示報告通知を、広告運用サーバ３へ送信する。このとき、携帯電話機１は、掲示報告通知を示すメールを、広告運用サーバ３へ送信するものであってもよい。
【００４０】
図４は、本発明における電子広告掲示板システムの機能構成図である。
【００４１】
図４によれば、携帯電話機１は、携帯電話通信部１００と、広告コンテンツ受信部１０１と、広告コンテンツ蓄積部１０２と、掲示板ＩＤ読み取り部１０３と、掲示時刻判定部１０４と、広告コンテンツ送信部１０５と、近接通信部１０６と、掲示報告通知部１０７とを有する。携帯電話通信部１００及び近接通信部１０６を除くその他の機能部は、携帯電話機に搭載されたコンピュータを機能させるプログラムを実行することによっても実現できる。
【００４２】
携帯電話通信部１００は、無線リンクを介して基地局に接続される。基地局は、携帯電話網に接続されており、携帯電話網とインターネットとは相互接続されている。携帯電話通信部１００は、インターネットに接続された広告運用サーバ３と通信することができる。
【００４３】
広告コンテンツ受信部１０１は、携帯電話通信部１００を用いて、広告運用サーバ３から、掲示板ＩＤに対応付けた広告コンテンツを受信する。広告コンテンツには、掲示開始時刻及び掲示終了時刻が含まれていてもよい。受信した広告コンテンツは、広告コンテンツ蓄積部１０２へ通知される。
【００４４】
広告コンテンツ蓄積部１０２は、広告コンテンツ受信部１０１によって受信された広告コンテンツを蓄積する。
【００４５】
掲示板ＩＤ読み取り部１０３は、電子広告掲示板２に付与された掲示板ＩＤ表示部から、掲示板識別子を読み取る。電子広告掲示板２に付与された掲示板ＩＤ表示部は、例えば、掲示板ＩＤを含むバーコード、ＱＲコード又はＲＦＩＤタグである。これに対し、掲示板ＩＤ読み取り部１０３は、バーコード又はＱＲコードを読み取るカメラであるか、又は、ＲＦＩＤタグを読み取るリーダである。読み取られた掲示板ＩＤは、広告コンテンツ送信部１０５又は掲示時刻判定部１０４へ通知される。
【００４６】
掲示時刻判定部１０４は、広告コンテンツに、掲示終了時刻が含まれている場合にのみ機能する。掲示時刻判定部１０４は、現在時刻が、掲示終了時刻以前である場合にのみ、広告コンテンツ送信部１０５が広告コンテンツを電子広告掲示板２へ送信するように制御する。従って、掲示時刻判定部１０４は、現在時刻を表示するタイマを備える。
【００４７】
広告コンテンツ送信部１０５は、掲示板ＩＤに対応する広告コンテンツを、広告コンテンツ蓄積部１０２から取得し、電子広告掲示板２へ送信する。
【００４８】
近接通信部１０６は、電子広告掲示板２と無線又は有線によって接続する通信インタフェース機能を有する。近接通信部１０６は、例えば、赤外線データ通信(IrDA)、ワイヤレスＵＳＢ、Bluetooth、又は有線ＵＳＢの通信機能であってもよい。
【００４９】
掲示報告通知部１０７は、広告コンテンツ送信部１０５によって広告コンテンツが正常に電子広告掲示板２へ送信された後、携帯電話通信部１００によって広告運用サーバ３に接続された際に、その広告運用サーバ３へ掲示報告通知を送信する。
【００５０】
また、図４によれば、電子広告掲示板２は、掲示板ＩＤ表示部２０１と、近接通信部２０２と、広告コンテンツ受信部２０３と、掲示時刻判定部２０４と、ディスプレイ部２０５と、掲示報告通知部２０６とを有する。広告コンテンツ受信部２０３と、掲示時刻判定部２０４と、掲示報告通知部２０６とは、電子広告掲示板に搭載されたコンピュータを機能させるプログラムを実行することによっても実現できる。
【００５１】
掲示板ＩＤ表示部２０１は、例えば、掲示板ＩＤを含むバーコード、ＱＲコード又はＲＦＩＤタグである。
【００５２】
近接通信部２０２は、携帯電話機１と無線又は有線によって接続する通信インタフェース機能を有する。近接通信部２０２は、例えば、赤外線データ通信(IrDA)、ワイヤレスＵＳＢ、Bluetooth、又は有線ＵＳＢの通信機能であってもよい。
【００５３】
広告コンテンツ受信部２０３は、携帯電話機１から広告コンテンツを受信し、その広告コンテンツをディスプレイ部２０５へ通知する。
【００５４】
掲示時刻判定部２０４は、携帯電話機１から受信する広告コンテンツに、掲示開始時刻が含まれている場合にのみ機能する。現在時刻が、掲示開始時刻以後である場合にのみ、広告コンテンツ受信部２０３が広告コンテンツをディスプレイ部２０５へ送信するように制御する。また、現在時刻が、掲示終了時刻以後である場合、現在、ディスプレイ部２０５に表示されている表示内容を消去する必要がある。このとき、広告コンテンツ受信部２０３が白画像をディスプレイ部２０５へ送信するように制御することもできる。
【００５５】
ディスプレイ部２０５は、電子ペーパによって構成されている。電子ペーパは、表示画面の内容を更新する時だけ、電力を消費する。
【００５６】
掲示報告通知部２０６は、広告コンテンツ受信部２０３によって広告コンテンツが正常にディスプレイ部２０５に表示された際に、携帯電話機１へ掲示報告通知を送信する。
【００５７】
以上、詳細に説明したように、本発明の電子広告掲示板システムによれば、無線又は有線のＬＡＮの設置が困難な場所であっても、電子広告掲示板が表示すべき広告コンテンツを逐次更新することができる。
【００５８】
本発明によれば、広告運用サーバと電子広告掲示板とが直接的に通信できない場合であっても、携帯端末を介することによって、電子広告掲示板に表示すべき内容を、簡単に更新することができる。本発明によれば、人手によって紙媒体の広告を交換する作業と比較しても、容易かつ確実に広告コンテンツを更新又は管理することができる。
【００５９】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００６０】
【図１】従来技術における電子広告掲示板システムの構成図である。
【図２】本発明における電子広告掲示板システムの構成図である。
【図３】本発明における電子広告掲示板システムのフローチャートである。
【図４】本発明における電子広告掲示板システムの機能構成図である。
【符号の説明】
【００６１】
１  携帯電話機、携帯端末
１００  携帯電話通信部
１０１  広告コンテンツ受信部
１０２  広告コンテンツ蓄積部
１０３  掲示板ＩＤ読み取り部
１０４  掲示時刻判定部
１０５  広告コンテンツ送信部
１０６  近接通信部
１０７  掲示報告通知部
２  電子広告掲示板
２０１  掲示板ＩＤ表示部
２０２  近接通信部
２０３  広告コンテンツ受信部
２０４  掲示時刻判定部
２０５  ディスプレイ部
２０６  掲示報告通知部
３  広告運用サーバ
【図１】
2008203790.tif 000003
【図２】
2008203790.tif 000004
【図３】
2008203790.tif 000005
【図４】
2008203790.tif 000006